(57)【要約】即時決済システムは、インターネットカフェのユーザーＰＣから有料コンテンツについての即時決済要請を受けると、ユーザーＰＣの識別子をデータベースに照会して該ユーザーＰＣを管理するインターネットカフェのマネージャＰＣを検索し、決済確認要請信号をマネージャＰＣに送信し、マネージャＰＣから受信した決済確認信号と、ユーザーＰＣから受信した即時決済要請とを比較して決済の有無を確認する即時決済サーバーと、複数台のユーザーＰＣ及びユーザーの決済の詳細を管理し、即時決済サーバーから受信した決済確認要請信号に応答して前記決済の詳細による決済確認信号を即時決済サーバーに提供するマネージャＰＣと、有料コンテンツ会社の決済情報を管理し、即時決済サーバーと通信して前記有料コンテンツについての決済情報を受け取って決済精算を行った後、該有料コンテンツの提供可否を判定するＣＰ決済サーバーとを備える。
2008511940.tif 000002
【特許請求の範囲】
【請求項１】
ネットワークに相互接続されて相互通信を行うインターネットカフェのマネージャＰＣ、即時決済サーバー、及びＣＰ決済サーバーを通じて、インターネットカフェのユーザーＰＣに対して直接決済サービスを提供するインターネットカフェにおける即時決済システムであって、
インターネットカフェのユーザーＰＣから特定の有料コンテンツについての即時決済要請を受けると、前記インターネットカフェのユーザーＰＣの特定の識別子をデータベースに照会して、前記ユーザーＰＣを管理するインターネットカフェのマネージャＰＣを検索し、前記即時決済要請についての決済確認要請信号を該インターネットカフェのマネージャＰＣに送信し、該インターネットカフェのマネージャＰＣから受信した決済確認信号と前記ユーザーＰＣから受信した即時決済要請とを比較して決済の有無を確認する即時決済サーバーと、
インターネットカフェの複数台のユーザーＰＣ及びユーザーの決済の詳細を管理し、前記即時決済サーバーから受信した前記決済確認要請信号に応答して、前記ユーザーＰＣのユーザーから提供された前記決済の詳細による決済確認信号を前記即時決済サーバーに提供するインターネットカフェのマネージャＰＣと、
有料コンテンツ会社の決済情報を管理し、前記即時決済サーバーと通信して前記ユーザーＰＣの有料コンテンツについての決済情報を受け取って決済精算を行った後、前記有料コンテンツの提供可否を判定するＣＰ決済サーバーと、
を備えて構成されるインターネットカフェにおける即時決済システム。
【請求項２】
前記インターネットカフェのマネージャＰＣは、前記決済確認要請信号に応答して前記ユーザーＰＣのユーザーから個別決済を受けるか、または一括決済を受けた後に残余キャッシュの情報を管理して、該残余キャッシュの情報から決済確認信号を生成することを特徴とする請求項１に記載のインターネットカフェにおける即時決済システム。
【請求項３】
前記識別子は、ＩＰアドレスであり、前記即時決済サーバーは、前記直接決済サービスに加盟したインターネットカフェについての基本情報、該加盟したインターネットカフェのユーザーＰＣ及びマネージャＰＣについてのＩＰアドレス情報、及び残余キャッシュの情報のうちの全部または一部をデータベースに保存管理することを特徴とする請求項２に記載のインターネットカフェにおける即時決済システム。
【請求項４】
前記即時決済サーバーは、インターネットカフェ別に現在の残額及び売上げを照会するデータの出力機能、インターネットカフェへの加入確認及び解約確認の機能、キャッシュ購買のための入金確認及び残額追加の機能、問題の発生したインターネットカフェに対する使用停止の機能、及び入金確認に対するレシートの発行機能のうちの全部または一部を提供することを特徴とする請求項３に記載のインターネットカフェにおける即時決済システム。
【請求項５】
ネットワークに相互接続されて相互通信を行うインターネットカフェのマネージャＰＣ、即時決済サーバー、及びＣＰ決済サーバーを通じて、インターネットカフェのユーザーＰＣに対して直接決済サービスを提供するインターネットカフェにおける即時決済方法であって、
前記即時決済サーバーが、前記インターネットカフェのユーザーＰＣから、特定の有料コンテンツについての即時決済要請を受け取ること、
前記即時決済サーバーが、前記インターネットカフェのユーザーＰＣの識別子をデータベースに照会して、前記インターネットカフェのユーザーＰＣを管理するインターネットカフェのマネージャＰＣを検索すること、
前記即時決済サーバーが、前記即時決済要請についての決済確認要請信号を前記検索されたインターネットカフェのマネージャＰＣに送信すること、
前記インターネットカフェのマネージャＰＣが、前記即時決済サーバーから前記決済確認要請信号を受信すること、
前記インターネットカフェのマネージャＰＣが、前記インターネットカフェのユーザーＰＣのユーザーの決済の詳細と前記受信された決済確認要請信号とを比較して、その比較結果による決済確認信号を前記即時決済サーバーに送信すること、
前記即時決済サーバーが、前記インターネットカフェのマネージャＰＣから前記決済確認信号を受信すると、前記ＣＰ決済サーバーと通信して前記ユーザーＰＣの有料コンテンツについての決済情報を提供し、決済精算を行って前記インターネットカフェのユーザーＰＣに決済完了信号を送信すること、
を備えて構成されるインターネットカフェにおける即時決済方法。
【請求項６】
前記インターネットカフェのマネージャＰＣは、前記決済確認要請信号に応答して前記インターネットカフェのユーザーＰＣのユーザーから個別決済を受けるか、または一括決済を受けた後に残余キャッシュの情報を管理して、該残余キャッシュの情報から決済確認信号を生成することを特徴とする請求項５に記載のインターネットカフェにおける即時決済方法。
【発明の詳細な説明】
【技術分野】
【０００１】
本発明は、インターネットカフェにおける即時決済システムに関し、さらに詳細には、ユーザーが加盟したインターネットカフェでインターネットウェブサイトを通じてショッピングサイト、インターネットゲーム及び各種の有料コンテンツを利用するためにキャッシュ充填を行う場合、既存の各種のオンライン決済方式に代えて、直接払い（ｄｉｒｅｃｔ  ｐａｙｍｅｎｔ）システムを通じて該インターネットカフェへのオフラインでの現金決済を可能にすることによって、ユーザーに決済方式の便利性を提供すると同時に、ユーザーの個人情報の流出による不安感を解消するインターネットカフェにおける即時決済システムに関する。
【背景技術】
【０００２】
最近、インターネットの普及率は次第に増大しており、これにより、現代人にとってインターネットは、生活の必須アイテムとなっている。このような状況下において、ネットゲームカフェやインターネットカフェの数が急速に増加しているが、その理由は、個人が購買できない多様なプログラムを自由に利用できるという点と、高速のインターネットを楽しめるという点で利点があるためである。
【０００３】
一方、このようなインターネットの急速な発展は、インターネットの底辺拡大につながっており、これにより、全世界の人々を対象とする電子商取引が急速に発展している。特に、このような傾向に合わせて、ＴＶショッピング、インターネットゲーム及び各種の有料コンテンツの開発が活発になされている。このとき、インターネットを通じてユーザーに各種のインターネットゲーム及び有料コンテンツを提供するためには、さらに多様かつ有益なコンテンツやゲームについての開発だけでなく、決済方式についての研究も活発になされる必要がある。
【０００４】
一般に、従来に使用されていたインターネット有料コンテンツについての決済方式としては、クレジットカード決済、携帯電話決済及びＡＲＳ（Ａｕｔｏｍａｔｉｃ  Ｒｅｓｐｏｎｓｅ  Ｓｙｓｔｅｍ）決済などのフォーンビル（Ｐｈｏｎｅ  Ｂｉｌｌ：移動電話決済）方式、銀行口座振替方式、電子マネー及びデビットカード方式などがあった。このとき、クレジットカード決済方式は、顧客がインターネット・コンテンツ・プロバイダに有料コンテンツや商品についての購買意思を表した後にクレジットカード番号を入力すれば、これについての認証手続及び購買代金の精算を通じて決済処理を行う方式であり、携帯電話及びＡＲＳなどのフォーンビル方式は、購買代金を携帯電話の使用料金に含める方式である。また、銀行口座振替方式やデビットカード方式は、金融網との連動によって即刻な精算が行われる方式である。
【発明の開示】
【発明が解決しようとする課題】
【０００５】
しかし、前述の従来の多様な決済方式によれば、クレジットカード、電子マネー、デビットカード及び銀行口座振替の場合、決済時にカード番号、パスワードまたはその他の身上情報などの入力がウェブ上で行われるので、ユーザーの個人情報の流出による危険性と共に不安感を増幅させるという問題点があり、特に、信用不良者やクレジットカードを持っていないユーザーの場合には、決済処理自体が不可能であるという問題点があった。
【０００６】
さらに、従来の決済方式によれば、ユーザーがいちいちウェブ上で決済による処理手続を行わなければならないので、安心決済による決済手続の複雑性により決済処理自体が難しく、特に、高齢者やコンピュータの使用に慣れていないユーザーの場合には、使用上の難しさをさらに感じるという問題点があった。
【０００７】
本発明は、上記問題点を解決するためになされたものであって、その目的は、インターネットカフェにおける即時決済システムを提供することにある。本発明の即時決済システムは、ユーザーが、加盟したインターネットカフェでインターネットウェブサイトを通じてショッピングサイト、インターネットゲーム及び各種の有料コンテンツを利用するためにキャッシュ充填を行う場合、既存の各種のオンライン決済方式に代えて直接払いシステムを通じたインターネットカフェへのオフラインでの現金決済を可能にすることによって、ユーザーに決済方式の便利性を提供すると共に、ユーザーの個人情報の流出による不安感を解消する。
【０００８】
また、本発明の他の目的は、カード決済または銀行決済のできない信用不良者やその他のコンピュータに慣れていないユーザーでも、オンラインゲームや各種のインターネット有料コンテンツを簡単に利用できるインターネットカフェにおける即時決済システムを提供することにある。
【課題を解決するための手段】
【０００９】
上記目的を達成すべく、本発明に開示されたインターネットカフェにおける即時決済システムは、ネットワークに相互接続されて相互通信を行うインターネットカフェのマネージャＰＣ（Ｐｅｒｓｏｎａｌ  Ｃｏｍｐｕｔｅｒ）、即時決済サーバー、及びＣＰ決済サーバーを通じて、インターネットカフェのユーザーＰＣに対して決済サービスを提供するインターネットカフェにおける即時決済システムであって、インターネットカフェのユーザーＰＣから特定の有料コンテンツについての即時決済要請を受けると、前記インターネットカフェのユーザーＰＣの特定の識別子をデータベースに照会して、前記ユーザーＰＣを管理するインターネットカフェのマネージャＰＣを検索し、前記即時決済要請についての決済確認要請信号を該インターネットカフェのマネージャＰＣに送信し、該インターネットカフェのマネージャＰＣから受信した決済確認信号と、前記ユーザーＰＣから受信した即時決済要請とを比較して決済の有無を確認する即時決済サーバーと、インターネットカフェの複数台のユーザーＰＣ及びユーザーの決済の詳細を管理し、前記即時決済サーバーから受信した前記決済確認要請信号に応答して、前記ユーザーＰＣのユーザーから提供された決済の詳細による決済確認信号を前記即時決済サーバーに提供するインターネットカフェのマネージャＰＣと、有料コンテンツ会社の決済情報を管理し、前記即時決済サーバーと通信して前記ユーザーＰＣの有料コンテンツについての決済情報を受け取って決済精算を行った後、前記有料コンテンツの提供可否を処理するＣＰ決済サーバーと、を備えて構成される。
【００１０】
また、本発明に開示されたインターネットカフェにおける即時決済システムは、前記インターネットカフェのマネージャＰＣは、前記決済確認要請信号に応答して前記ユーザーＰＣのユーザーから個別決済が提供されるか、または前記ユーザーＰＣのユーザーから一括決済が提供された後に、残余キャッシュの情報を管理して決済確認信号を生成することを特徴とする。
【００１１】
また、本発明に開示されたインターネットカフェにおける即時決済システムは、前記識別子は、ＩＰアドレスであり、前記即時決済サーバーは、加盟したインターネットカフェについての基本情報、加盟したインターネットカフェのユーザーＰＣ及びマネージャＰＣについてのＩＰアドレス情報、及び残余キャッシュの情報のうちの全部または一部をデータベースとして保存管理することを特徴とする。
【００１２】
また、本発明に開示されたインターネットカフェにおける即時決済システムは、前記即時決済サーバーは、インターネットカフェ別のデータの出力機能（現在の残額、売上げの照会）、インターネットカフェへの加入確認及び解約確認の機能、キャッシュ購買のための入金確認及び残額追加の機能、問題の発生したインターネットカフェに対する使用停止の機能、及び入金確認に対するレシートの発行機能のうちの全部または一部を提供することを特徴とする。
【００１３】
また、前記目的を解決するために、本発明に開示されたインターネットカフェにおける即時決済方法は、ネットワークに相互接続されて相互通信を行うインターネットカフェのマネージャＰＣ、即時決済サーバー、及びＣＰ決済サーバーを通じて、インターネットカフェのユーザーＰＣに対して決済サービスを提供するインターネットカフェにおける即時決済方法であって、即時決済サーバーが、インターネットカフェのユーザーＰＣから、特定の有料コンテンツについての即時決済要請を受け取るステップと、即時決済サーバーが、前記インターネットカフェのユーザーＰＣの識別子をデータベースに照会して、前記インターネットカフェのユーザーＰＣを管理するインターネットカフェのマネージャＰＣを検索するステップと、即時決済サーバーが、前記即時決済要請についての決済確認要請信号を前記検索されたインターネットカフェのマネージャＰＣに送信するステップと、インターネットカフェのマネージャＰＣが、即時決済サーバーから前記決済確認要請信号を受信するステップと、インターネットカフェのマネージャＰＣが、前記インターネットカフェのユーザーＰＣのユーザーの決済の詳細と、前記受信された決済確認要請信号との比較結果による決済確認信号を即時決済サーバーに送信するステップと、即時決済サーバーが、インターネットカフェのマネージャＰＣから決済確認信号を受信すると、ＣＰ決済サーバーと通信して前記ユーザーＰＣの有料コンテンツについての決済情報を提供し、決済精算を行って、前記インターネットカフェのユーザーＰＣに決済完了信号を送信するステップと、を備えて構成される。
【００１４】
また、本発明に開示されたインターネットカフェにおける即時決済方法は、インターネットカフェのマネージャＰＣは、前記決済確認要請信号に応答して前記インターネットカフェのユーザーＰＣのユーザーから個別決済が提供されるか、または前記インターネットカフェのユーザーＰＣのユーザーから一括決済が提供された後に、残余キャッシュの情報を管理して決済確認信号を生成することを特徴とする。
【発明の効果】
【００１５】
本発明に係るインターネットカフェにおける即時決済システムによれば、ユーザーが、加盟したインターネットカフェでインターネットウェブサイトを通じてショッピングサイト、インターネットゲーム及び各種の有料コンテンツを利用するためにキャッシュ充填を行う場合、既存の各種のオンライン決済方式に代わる直接払いシステムを通じた該インターネットカフェへのオフラインでの現金決済を可能にすることによって、ユーザーに決済方式の便利性を提供すると共に、ユーザーの個人情報の流出による不安感を解消し、特に、カード決済や銀行決済のできない信用不良者やその他のコンピュータに慣れていないユーザーでも、オンラインゲームや各種のインターネット有料コンテンツを簡単に利用可能にする効果がある。
【発明を実施するための最良の形態】
【００１６】
以下、添付された図面を参照して、本発明の一実施形態によるインターネットカフェにおける即時決済システムについて詳細に説明する。
図１は、本発明が適用されたインターネットカフェにおける即時決済システムのネットワーク構成図であって、本発明が適用されたインターネットカフェにおける即時決済システムは、インターネットカフェに設置された複数台のユーザーＰＣ１００、インターネットカフェのマネージャＰＣ２００、即時決済（ＰＣＡＳＨ）サーバー３００、及びＣＰ決済サーバー４００がネットワークを通じて接続されて構成されている。
【００１７】
インターネットカフェのユーザーＰＣ１００は、インターネットカフェに複数台が設置されて、固有のＩＰアドレスを有しており、ユーザーやインターネットカフェ会員がインターネットや多様なコンピュータプログラムを利用できるコンピュータである。
【００１８】
インターネットカフェのマネージャＰＣ２００は、インターネットカフェの複数台のユーザーＰＣ１００を管理するコンピュータであって、インターネットなどのネットワークを通じてＰＣＡＳＨサーバー３００と接続される。インターネットカフェのマネージャＰＣ２００は、インターネットカフェのマネージャにより即時決済サービスの加入手続が行われることによって、ＰＣＡＳＨサーバー３００から即時決済管理プログラムをダウンロードして設置すれば、これによる即時決済サービスを処理する役割を行う。
【００１９】
インターネットカフェのマネージャが、マネージャＰＣ２００を通じて即時決済サービスに加入する一実施形態をさらに具体的に説明すれば、ＰＣＡＳＨサーバー３００の加入画面に接続した後、加入約款に同意し、その後、インターネットカフェの基本情報（ユーザーＩＤ、パスワード、代表者名、住所など）と、望ましくは、インターネットカフェのＩＰアドレス（１番のユーザーＰＣから最後のユーザーＰＣまで）とを入力するなど、ＰＣＡＳＨサーバー３００へ該インターネットカフェの情報を送信する。それにより、ＰＣＡＳＨサーバー３００は、インターネットカフェのマネージャＰＣ２００からインターネットカフェの基本情報及びインターネットカフェのＩＰアドレス情報を受信して、それらの情報をサーバーのデータベースに保存管理する。
【００２０】
即時決済サービスへの加入が完了すると、インターネットカフェのマネージャは、即時決済管理プログラムを実行することによってＰＣＡＳＨサーバー３００の購買画面に自動的に接続した後、購買要請するキャッシュ金額を入力し、その後、インターネットカフェのマネージャＰＣ２００を通じて入金口座及び入金額が出力される。その後、インターネットカフェのマネージャがキャッシュ購買金額を入金すると、該インターネットカフェのキャッシュ購買が完了し、この購買後のキャッシュの残余情報は、インターネットカフェのマネージャＰＣ２００及び／またはＰＣＡＳＨサーバー３００のデータベースに保存管理される。
【００２１】
このとき、インターネットカフェのマネージャが、インターネットカフェのマネージャＰＣ２００を通じて確認可能な画面は、そのインターネットカフェについてのキャッシュ使用のデータ、インターネットカフェについての残余キャッシュの確認、月使用額のグラフ（売上げ及び収益）、返金申請及び解約申請などである。
【００２２】
ＰＣＡＳＨサーバー３００は、即時決済サービスに加入されたインターネットカフェの各種の基本情報、ＩＰアドレス情報及び残余キャッシュの情報を保存管理し、インターネットカフェのユーザーＰＣ１００から即時決済要請情報を受け取ると、該ＩＰアドレスを通じて該インターネットカフェのマネージャＰＣ２００を検索して決済確認要請信号を送信し、その後、該インターネットカフェのマネージャＰＣ２００から決済確認信号を受信すると、ＣＰ決済サーバー４００との決済精算を行った後、該インターネットカフェのユーザーＰＣ１００に決済完了信号を送信する役割を行う。ＰＣＡＳＨサーバー３００は、ウェブ上へ即時決済サービスの加入画面、キャッシュ購買画面を提供できる。一方、ＩＰアドレス以外の他の情報（例えば、コンピュータ名など）を使用してユーザーＰＣ１００を識別し、それによってマネージャＰＣ２００を検索することも可能である。
【００２３】
このとき、ＰＣＡＳＨサーバー３００を通じて確認可能な画面は、インターネットカフェ別のデータの出力画面（現在の残額、売上げの照会など）、インターネットカフェへの加入確認及び解約確認の画面、キャッシュ購買のための入金確認、インターネットカフェにおける残額追加の画面、決済不能などの問題のあるインターネットカフェに対する緊急機能の実行画面、入金確認に対するレシートまたは電子レシートの発行を処理できる画面などである。
【００２４】
前記のような構成を有するシステムを利用した本発明の一実施形態に係るインターネットカフェにおける即時決済システムにおいて、ＰＣＡＳＨサーバー３００側の処理過程について図２を参照して説明する。
【００２５】
まず、ユーザーがインターネットカフェのユーザーＰＣ１００を通じて該有料コンテンツ会社のウェブページで即時決済要請を行うことによって、該インターネットカフェのユーザーＰＣ１００からＩＰアドレスと共に即時決済要請情報を受信すると、ＰＣＡＳＨサーバー３００は、そのＩＰアドレスを内部データベースのＩＰ目録と比較し分析することによって、該インターネットカフェのマネージャＰＣ２００を検索する（Ｓ１１）。
【００２６】
その後、ＰＣＡＳＨサーバー３００は、ユーザーが要請した決済料金の含まれた決済確認要請信号を該インターネットカフェのマネージャＰＣ２００に送信する（Ｓ１２）。
次に、ユーザーは、インターネットカフェのマネージャにオフラインで現金で決済を行う。それにより、インターネットカフェのマネージャは、ユーザーが現金で決済した決済金額と、ＰＣＡＳＨサーバー３００から受信されたユーザーの決済要請金額とが一致するかを比較して、それらが一致すれば、インターネットカフェのマネージャＰＣ２００を通じて決済確認信号をＰＣＡＳＨサーバー３００に送信し、ＰＣＡＳＨサーバー３００は、その決済確認信号を受信した後、ＣＰ決済サーバー４００との決済精算を行い、その後、該インターネットカフェのユーザーＰＣ１００に決済完了信号を送信する（Ｓ１３）。このとき、前記インターネットカフェのマネージャＰＣ２００による決済確認は、ユーザーの決済金額が、該インターネットカフェのマネージャＰＣ２００が保有した残余キャッシュ以下である場合にのみ決済することができる。
【００２７】
一方、下記では、本発明の一実施形態に係るインターネットカフェにおける即時決済システムにおいて、インターネットカフェのマネージャＰＣ２００側の一連の処理過程について図３を参照して説明する。
【００２８】
まず、ユーザーがインターネットカフェのユーザーＰＣ１００を通じて該有料コンテンツ会社のウェブページで即時決済要請を行うと、インターネットカフェのマネージャＰＣ２００は、ＰＣＡＳＨサーバー３００からユーザーの決済料金の含まれた決済確認要請信号を受信する（Ｓ２１）。
【００２９】
その後、ユーザーは、インターネットカフェのマネージャに現金で決済金額を支給する。このとき、ユーザーが現金で支給した決済金額と、ＰＣＡＳＨサーバー３００から受信された決済確認要請信号に含まれたユーザーの決済要請金額とが一致していると、インターネットカフェのマネージャにより決済確認が入力される。そして、インターネットカフェのマネージャＰＣ２００は、ユーザーの決済要請金額が、自身のデータベース内に保有された残余キャッシュ以下であるか否かを判断する（Ｓ２２）。
【００３０】
前記Ｓ２２でユーザーの決済料金が、自身が保有した残余キャッシュ以下であれば（ＹＥＳ）、インターネットカフェのマネージャＰＣ２００は、決済確認信号をＰＣＡＳＨサーバー３００に送信する一方（Ｓ２３）、ユーザーの決済料金が、自身が保有した残余キャッシュを超えていれば（ＮＯ）、決済不可信号をＰＣＡＳＨサーバー３００に送信する（Ｓ２４）。
【００３１】
一方、下記では、図４を参照して本発明の一実施形態に係るインターネットカフェにおける即時決済システムの処理過程全体について説明する。
まず、ユーザーがインターネットカフェのユーザーＰＣ１００を通じて該有料コンテンツ会社のウェブページで即時決済要請を行うことによって、該インターネットカフェのユーザーＰＣ１００からＩＰアドレスと共に即時決済要請情報が送信されると、ＰＣＡＳＨサーバー３００は、そのＩＰアドレスを内部データベースのＩＰ目録と比較し分析することによって、該インターネットカフェのマネージャＰＣ２００を検索する（Ｓ３１）。
【００３２】
その後、ＰＣＡＳＨサーバー３００は、ユーザーが要請した決済料金の含まれた決済確認要請信号を該インターネットカフェのマネージャＰＣ２００に送信する（Ｓ３２）。
それにより、インターネットカフェのマネージャＰＣ２００は、ＰＣＡＳＨサーバー３００からユーザーの決済料金の含まれた決済確認要請信号を受信する（Ｓ３３）。
【００３３】
次に、ユーザーが現金で支給した決済金額と、ＰＣＡＳＨサーバー３００から受信された決済確認要請信号に含まれたユーザーの決済要請金額とが一致していると、インターネットカフェのマネージャにより決済確認が入力される。そして、インターネットカフェのマネージャＰＣ２００は、ユーザーの決済要請金額が、自身のデータベース内に保有された残余キャッシュ以下であるか否かを判断する（Ｓ３４）。
【００３４】
このとき、Ｓ３４でユーザーの決済料金が、自身が保有した残余キャッシュ以下であれば（ＹＥＳ）、インターネットカフェのマネージャＰＣ２００は、決済確認信号をＰＣＡＳＨサーバー３００に送信する一方、ユーザーの決済料金が、自身が保有した残余キャッシュを超えていれば（ＮＯ）、決済不可信号をＰＣＡＳＨサーバー３００に送信する（Ｓ３５）。
【００３５】
こうして、ＰＣＡＳＨサーバー３００は、インターネットカフェのマネージャＰＣ２００から決済確認信号を受信した後、ＣＰ決済サーバー４００との決済精算を行って、該インターネットカフェのユーザーＰＣ１００に決済完了信号を送信する（Ｓ３６）。
【００３６】
前述のインターネットカフェにおける即時決済システムのクライアントとウェブとの連動は、メッセンジャー・ウィンドウの形態で行われ、即時決済サービスは、決済信号についてのＤＢ検索及び処理と、最終ＣＰ決済サーバー４００との連動が行われるか、それとも最終ＣＰ決済サーバー４００が、決済についての要請及び処理を自動的に行い、これについてのデータベースがリアルタイムでウェブと連動されなければならない。
【００３７】
また、本発明の実現に当たって、実際の最終ＣＰ決済サーバー４００においては、ＩＰアドレスによるインターネットカフェマネージャのＩＰアドレスのＤＢのみが必要であり、残りは、ＰＣＡＳＨサーバー３００のＤＢで比較及び処理して確認信号のみを送信する方式でも実現することができる。
【００３８】
以上、実施形態を通じて本発明をさらに詳細に説明したが、本発明は、必ずしもこれらの実施形態に限定されるものではなく、本発明の技術思想を逸脱しない範囲内で多様に変形して実施することができる。
【図面の簡単な説明】
【００３９】
【図１】本発明が適用されたインターネットカフェにおける即時決済システムの構成を示す網構成図である。
【図２】本発明の一実施形態に係るインターネットカフェにおける即時決済システムにおいて、ＰＣＡＳＨサーバー側の処理過程を示す動作フローチャートである。
【図３】本発明の一実施形態に係るインターネットカフェにおける即時決済システムにおいて、インターネットカフェのマネージャＰＣ側の処理過程を示す動作フローチャートである。
【図４】本発明の一実施形態に係るインターネットカフェにおける即時決済システムの処理過程全体を示す動作フローチャートである。
【符号の説明】
【００４０】
１００      インターネットカフェにおけるユーザーＰＣ
２００      インターネットカフェにおけるマネージャＰＣ
３００      ＰＣＡＳＨサーバー
４００      ＣＰ決済サーバー
【図１】
2008511940.tif 000003
【図２】
2008511940.tif 000004
【図３】
2008511940.tif 000005
【図４】
2008511940.tif 000006
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
ネットワークに相互接続されて相互通信を行うインターネットカフェのマネージャＰＣ、即時決済サーバー、及びＣＰ決済サーバーを通じて、インターネットカフェのユーザーＰＣに対して直接決済サービスを提供するインターネットカフェにおける即時決済システムであって、
ユーザーＰＣから有料コンテンツについての即時決済要請を受けると、前記ユーザーＰＣの識別子をデータベースに照会して、前記ユーザーＰＣを管理するインターネットカフェのマネージャＰＣを検索し、前記即時決済要請についての決済確認要請信号を該インターネットカフェのマネージャＰＣに送信し、該インターネットカフェのマネージャＰＣから受信した決済確認信号と前記ユーザーＰＣから受信した即時決済要請とを比較して決済の有無を確認する即時決済サーバーと、
複数台のユーザーＰＣ及びユーザーの決済の詳細を管理し、前記即時決済サーバーから受信した前記決済確認要請信号に応答して、前記ユーザーＰＣのユーザーから前もって受けた前記決済の詳細による決済確認信号を前記即時決済サーバーに提供するインターネットカフェのマネージャＰＣであって、前記ユーザーＰＣのユーザーから個別決済か、または一括決済かを前もって受けた後に、残余キャッシュの情報を管理して該残余キャッシュの情報から前記決済確認信号を生成する、インターネットカフェのマネージャＰＣと、
有料コンテンツ会社の決済情報を管理し、前記即時決済サーバーと通信して前記ユーザーＰＣの有料コンテンツについての決済情報を受け取って決済精算を行った後、前記有料コンテンツの提供可否を判定するＣＰ決済サーバーと、
を備えて構成されるインターネットカフェにおける即時決済システム。
【請求項２】
前記識別子は、ＩＰアドレスであり、前記即時決済サーバーは、前記直接決済サービスに加盟したインターネットカフェについての基本情報、該加盟したインターネットカフェのユーザーＰＣ及びマネージャＰＣについてのＩＰアドレス情報、及び残余キャッシュの情報のうちの全部または一部をデータベースに保存管理することを特徴とする請求項１に記載のインターネットカフェにおける即時決済システム。
【請求項３】
前記即時決済サーバーは、インターネットカフェ別に現在の残額及び売上げを照会するデータの出力機能、インターネットカフェへの加入確認及び解約確認の機能、キャッシュ購買のための入金確認及び残額追加の機能、問題の発生したインターネットカフェに対する使用停止の機能、及び入金確認に対するレシートの発行機能のうちの全部または一部を提供することを特徴とする請求項２に記載のインターネットカフェにおける即時決済システム。
【請求項４】
ネットワークに相互接続されて相互通信を行うインターネットカフェのマネージャＰＣ、即時決済サーバー、及びＣＰ決済サーバーを通じて、インターネットカフェのユーザーＰＣに対して直接決済サービスを提供するインターネットカフェにおける即時決済方法であって、
前記インターネットカフェのマネージャＰＣが、前記ユーザーＰＣのユーザーから個別決済かまたは一括決済かを前もって受けた後に、残余キャッシュの情報を管理すること、
前記即時決済サーバーが、前記インターネットカフェのユーザーＰＣから有料コンテンツについての即時決済要請を受け取ること、
前記即時決済サーバーが、前記インターネットカフェのユーザーＰＣの識別子をデータベースに照会して、前記インターネットカフェのユーザーＰＣを管理するインターネットカフェのマネージャＰＣを検索すること、
前記即時決済サーバーが、前記即時決済要請についての決済確認要請信号を前記検索されたインターネットカフェのマネージャＰＣに送信すること、
前記インターネットカフェのマネージャＰＣが、前記即時決済サーバーから前記決済確認要請信号を受信すること、
前記インターネットカフェのマネージャＰＣが、前記ユーザーＰＣのユーザーから前もって受けた前記決済の詳細と、前記受信した決済確認要請信号とを比較して、その比較結果による決済確認信号を前記即時決済サーバーに送信すること、
前記即時決済サーバーが、前記インターネットカフェのマネージャＰＣから前記決済確認信号を受信すると、前記ＣＰ決済サーバーと通信して前記ユーザーＰＣの有料コンテンツについての決済情報を提供し、決済精算を行って前記インターネットカフェのユーザーＰＣに決済完了信号を送信すること、
を備えて構成されるインターネットカフェにおける即時決済方法。
【国際調査報告】
2008511940.tif 000007
2008511940.tif 000008